(57)【要約】      （修正有）【課題】引き込み機能を有するスライドレールに関し、簡単な構成で、スライドレールの長さに影響を与えず、引込みストロークを長く構成でき、引込み力も低下させることのないスライドレールを提供する。【解決手段】移動側レール２の引き込み部材６と、固定側レール折曲縁１１と一体に形成した引き込み案内路７で形成した引き込み機能を有するスライドレールにおいて、引き込み部材を、端部が移動側レールの上下方向の外側に突出する連結用支持部材６１と、一端が連結用支持材に回動自在に枢止され他端に圧接子８が回動自在に設けられた回動腕６２と、回動腕に回動力を付与する付勢手段６３で構成し、回動腕の回動時に、圧接子が固定側レールの折曲縁に付勢手段により弾性的に圧接する姿勢と、圧接子が引き込み案内路に付勢手段により弾性的に圧接する姿勢をとるように、回動腕の枢止部を連結用支持部材の突出部に設ける。【選択図】図４
2020075111.tif 000002
【特許請求の範囲】
【請求項１】
移動側レールの後端部に、固定側レールの折曲縁に弾性的に圧接する圧接子を有する引込み部材を設け、圧接子が圧接する固定側レール折曲縁の後端部所定位置から移動側レールを引き込む方向に固定側レールの折曲縁と一体に引き込み案内路を形成した引き込み機能を有するスライドレールにおいて、引き込み部材は、移動側レールに取り付けられ、少なくとも一部が移動側レールの収納側端部の外側に突出する連結用支持部材と、一端が連結用支持部材に回動自在に枢止され他端に圧接子が回動自在に設けられた回動腕と、回動腕に回動力を付与する付勢手段より構成され、回動腕の回動時に、スライドレールの伸長短縮に合わせて圧接子が固定側レールの折曲縁に付勢手段により弾性的に圧接する姿勢と、圧接子が引き込み案内路に付勢手段により弾性的に圧接する姿勢をとるように、回動腕の前記枢止部を連結用支持部材の前記突出部に設けたことを特徴とするスライドレール。
【請求項２】
スライドレールの最短収縮状態で、圧接子は引き込み案内路下向き方向の端部に圧接していることを特徴とする請求項１に記載のスライドレール。
【請求項３】
引き込み案内路は、圧接子が圧接し、移動側レールを引き込む方向に突出し順次円弧状に変形するように形成されていることを特徴とする請求項１あるいは請求項２に記載のスライドレール。
【発明の詳細な説明】
【技術分野】
【０００１】
本発明は、スライドレールに連結された家具等の引出し部、陳列棚等のスライド棚等の移動側部材を、引出し状態（スライド全開状態）から収納位置（最終収納位置）まで完全に移動させなくても、所定位置まで移動されると、後は自動的に家具本体等の固定側部材に引き込まれ、さらに、移動側部材を固定側部材に勢いよく移動させた時に生じる移動側部材の跳ね返りの防止、あるいは、運搬時、地震時等、固定側部材からの移動側部材の不用意な飛び出しを防止する引込み機能を有するスライドレールに関するものである。
【背景技術】
【０００２】
家具本体等の固定側部材に引出し部等の移動側部材を収納する時、移動側部材を勢い良く収納すると、収納時の跳ね返りによって、移動側部材が完全に収納されなかったり、移動側部材が最初から完全に収納されていなかったりする場合があり、家具の運搬時、地震時に、引出し等が固定側部材から飛び出した勢いで、家具等を運搬中に落下させたり、あるいは転倒することで数々の不都合が生じる原因となっていた。
この問題を解決するため、移動側部材が所定位置まで収納されると、後は自動的に家具本体等の固定側部材に引込む、引込み機能を有するスライドレールが幾種類か提供されている。
【０００３】
その一つとして、固定側部材あるいは移動側部材のいずれか一方側に引込み部材を設け、引込み部材に対応して他方側に引込み力受動部材を設け、引込み部材は、移動側部材が固定側部材に対して最終所定位置に近づいたとき、引込み力受動部材に一部が弾性的に圧接する圧接機構を有し、引込み力受動部材は、圧接機構の圧接力を、移動側部材を固定側部材に対し最終所定位置となす方向への引込み力に変化させる案内傾斜面を構成するものである。（特許文献１参照）
【０００４】
この場合、引込み力受動部材を固定側部材、あるいは移動側部材のいずれかに取り付けなければならず、コストアップにつながる要因となっていた。
さらに、固定側部材あるいは移動側部材と引込み力受動部材は一体ではないので、その連結部分には微妙な段差が生じ、この段差を引込み部材が通過する際、摺動途中に不連続な違和感が発生する原因にもなっていた。
又、引込み部材は、凸状曲面上を接触移動するので、摺動中左右方向に揺動しやすく、摺動操作の円滑な連続性を損なうだけでなく、引込み部材のローラーが脱輪する要因にもなっていた。
【０００５】
一方、安価に提供できる引込み機能を有するスライドレールとしては、移動側レールの一方のボール摺動溝の端部やや内側内面から他方のボール摺動溝の端部側内面に向かって傾斜する脚体を有する線バネからなる引込み部材を移動側レールに着脱自在に設けることにより、移動側のレールの摺動途中は、固定側レールのボール摺動溝に弾性脚体が接触し、移動側レールが一定位置に達した状態で、固定側レールの摺動方向側の端部に脚体が当接して、移動側レールを自動的に収納位置まで移動させるものが提供されている。（特許文献２参照）
この場合、固定側レールのボール摺動溝の端部の角部に線バネが当接するので、摩擦抵抗が大きく、円滑な摺動操作が損なわれるだけでなく、固定側レールあるいは線バネの何れか硬度の低い方が磨耗するなど、耐久性に問題があった。
【０００６】
又、他の例としては、少なくとも第一スライド部材と第二スライド部材とを備え、第二スライド部材に取り付けられる引込み機構であって、前記引込み機構は、アクチュエータ（係合体）を案内するスロットをもっているハウジングを具備し、アクチュエータ（係合体）は、ばねにより生み出される力に応じて移動可能であるようにハウジングに取り付けられ、スロットに沿って第一位置と第二位置との間を滑動することができ、ばねにエネルギを蓄積して第一位置に係合されて残ることができる。
【０００７】
そして、引き出された第一スライド部材が引込まれる時には、第一スライド部材が閉止位置に近づいたとき、第一スライド部材はアクチュエータに係合し、閉止位置の方へ引き続き移動するので、アクチュエータ（係合体）を第一位置から離脱させ、それによりエネルギを蓄積したばねが、アクチュエータ（係合体）、及び係合した第一スライド部材をスロットに沿ってスライドが閉じられる第二位置に滑動させる。
一方、第一スライド部材が、第二スライド部材に対して引き出されるとき、第一スライド部材がアクチュエータ（係合体）を第二位置から第一位置の方へ移動させ、アクチュエータ（係合体）はばねにエネルギを蓄積させ、第一位置で係合される。そして、第一スライド部材はアクチュエータから離脱される構成のものも提供されている。（特許文献３参照）
【０００８】
この場合、ばねの引張り力で第一スライド部材を第二スライド部材に引き込む構成であるから、第一スライド部材がばねの引張り力に抗して（ばねに引張りエネルギを蓄積させながら）引き出され、アクチュエータ（係合体）が第一位置で係合されると、第一スライド部材はアクチュエータから離脱するので、急激に引き出し力が軽くなり、引き出しスピードが速くなって、収納物、展示物等を転倒、落下させる危険があった。
さらに、第一スライド部材が引き出された状態の時、アクチュエータ（係合体）の第一位置での係合状態が不測に外れ、アクチュエータ（係合体）が第二位置移動した状態では、引込み機能が働かない。この状態を、復帰させるためには、手動によって大きな力を負荷し、第一スライドを押し込み、強制的にアクチュエータ（係合体）に第一スライド部材を係合させなければならなかった。
【０００９】
又、簡単な構造でコンパクトに構成でき、耐久性に優れ、円滑な摺動力で、安価に製作でき、故障等の発生も皆無で、操作も容易な引込み機能を有するスライドレールとして、移動側レールの後端部に、固定側レールの折曲縁に形成されたボール摺動溝に弾性的に圧接する圧接子を有する引込み部材を設け、圧接子が圧接する固定側レールのボール摺動溝の後端部所定位置から、移動側レールを引き込む方向に固定側レールの折曲縁を順次傾斜させて、固定側レールのボール摺動溝と同形で、ボール摺動溝に連続する引込み案内路を折曲縁と一体に形成され、引込み部材は移動側レールに先端部が回動自在に枢止され、後端部に設けられた圧接子が固定側レールのボール摺動溝に弾性的に圧接するよう回動力が付与された回動腕と、回動腕に回動力を付与するバネよりなるものが提供されている。（特許文献４参照）
【００１０】
この場合、回動腕は移動側レールに直接枢止されているので、回動腕の回動可能角度は、後端部に設けられた圧接子が固定側レールに圧接できる上下方向の移動範囲に限定される。すなわち、圧接子の上下方向の移動距離が小さい（回動腕の回動可能角度が少ないので、圧接子のスライド方向の移動距離も小さい）ので、引込みストローク（引込み始めから引込み完了までの距離）を大きくするには、引込み案内路を長く構成する必要がある。つまり、引き込み案内路を長く構成すると、引込み力が弱まるだけでなく、引込みストロークを除いたスライドストロークが短くなる。スライドストロークを維持するにはスライドレール全体の長さを長く構成しなければならない。従って、スライドレール全体の長さが長くなると、所定場所に取り付けることができず、引込み機能を断念する結果となっていた。
【先行技術文献】
【特許文献】
【００１１】
【特許文献１】特開２００７−１９５７５４号公報
【特許文献２】特開２００８−１９４３８１号公報
【特許文献３】特許第４３９４３２７号公報
【特許文献４】特開２０１１−２２４２８９号公報
【発明の概要】
【発明が解決しようとする課題】
【００１２】
本発明は、上記問題に鑑み、簡単な構成で、スライドレールの長さに影響を与えず、引込みストロークを長く構成でき、引込み力も低下させることのない、引き込み機能を有するスライドレールを提供することを課題とする。
【課題を解決するための手段】
【００１３】
上記課題を解決する為、本発明が第１の手段として構成したところは、移動側レールの後端部に、固定側レールの折曲縁に弾性的に圧接する圧接子を有する引込み部材を設け、圧接子が圧接する固定側レール折曲縁の後端部所定位置から移動側レールを引き込む方向に固定側レールの折曲縁と一体に引き込み案内路を形成した引き込み機能を有するスライドレールにおいて、引き込み部材は、移動側レールに取り付けられ少なくとも一部が移動側レールの収納側端部の外側に突出する連結用支持部材と、一端が連結用支持部材に回動自在に枢止され、他端に圧接子が回動自在に設けられた回動腕と、回動腕に回動力を付与する付勢手段より構成され、回動腕の回動時に、スライドレールの伸長短縮に合わせて圧接子が固定側レールの折曲縁に付勢手段により弾性的に圧接する姿勢と、圧接子が引き込み案内路に付勢手段により弾性的に圧接する姿勢をとるように、回動腕の前記枢止部を連結用支持部材の前記突出部に設けたものである。
【００１４】
上記課題を解決する為、本発明が第２の手段として構成したところは、上記第１の手段としての構成に加え、スライドレールの最短収縮状態で、圧接子は引き込み案内路下向き方向の短部に圧接しているものである。
【００１５】
上記課題を解決する為、本発明が第３の手段として構成したところは、上記第１の手段、あるいは第２の手段、としての構成に加え、引き込み案内路は、圧接子が圧接し、移動側レールを引き込む方向に突出し順次円弧状に変形するように形成されているものである。
【発明の効果】
【００１６】
本発明の第１の手段として構成したところによると、一端に圧接子が回動自在に設けられた回動腕の他端が、連結用支持部材の移動側レールから上下方向のいずれかに突出する突出側の端部に回動自在に枢止されているので、回動腕を、ほぼ水平姿勢からほぼ垂直姿勢の範囲で回動可能に配設することができるので、圧接子は、上下方向からスライド方向に順次移動できるから、引き込み案内路がスライド方向に短くても、引き込みストロークを長く構成することができるので、スライドレール全体の長さを大きくしなくても、必要なスライドストロークを得ることができる。
【００１７】
本発明の第２の手段として構成したところによると、スライドレールの最短収縮状態で、圧接子は円弧状の下向き方向の端部に圧接しているので、スライドレールの最短収縮状態を確実に維持する事が出来る。
【００１８】
本発明の第３の手段として構成したところによると、第１の手段、あるいは第２の手段として構成したところの効果に加え、引き込み案内路が、圧接子が圧接し、移動側レールを引き込む方向に突出し順次円弧状に変形するように形成されているので、簡単な構造で円滑な摺動感覚を得ることが出来るだけでなく、引き込み案内路、固定側レールの上折曲縁が同形で連続して一体に形成されているので、微妙な段差もなく、圧接子が、引込み案内路から上折曲縁にそれぞれ移動する段階（逆の段階でも同じ。）においても何ら違和感を生じることがない。
【図面の簡単な説明】
【００１９】
【図１】本発明のスライドレールの最短収縮状態の斜視図である。
【図２】本発明のスライドレールの最大伸長状態の斜視図である。
【図３】最短収縮状態のスライドレールの後端部拡大斜視図である。
【図４】引き出し途中のスライドレールの後端部拡大斜視図である。
【図５】引込み部材の分解斜視図である。
【図６】本発明のスライドレールの基本構造断面図である。
【図７】スライドレールの縮小状態での後端部の固定側レール側からの正面図である。
【図８】スライドレールの最短縮小状態での後端部側からの正面図である。
【図９】本発明の第２実施例のスライドレールの最短収縮状態の斜視図である。
【図１０】本発明の第２実施例のスライドレールの後端部の右側面図である。
【図１１】本発明の第２実施例のスライドレールの後端部の左側面図である。
【図１２】本発明の第２実施例のスライドレールの最短縮小状態での後端部側からの正面図である。
【図１３】本発明の第２実施例のスライドレールの基本構造断面図である。
【図１４】本発明の第２実施例のスライドレールの引き出し途中の後端部の右側面図である。
【発明を実施するための最良の形態】
【００２０】
移動側レールの後端部に、固定側レールの折曲縁に弾性的に圧接する圧接子を有する引込み部材を設け、圧接子が圧接する固定側レール折曲縁の後端部所定位置から移動側レールを引き込む方向に固定側レールの折曲縁と一体に引き込み案内路を形成した引き込み機能を有するスライドレールにおいて、引き込み部材を、移動側レールに取り付けられ少なくとも一部が移動側レールの収納側端部の外側に突出する連結用支持部材と、一端が転結用支持材の突出側の端部に回動自在に枢止され他端に圧接子が回動自在に設けられた回動腕と、回動腕に回動力を付与するバネより構成し、圧接子が固定側レールの折曲縁に弾性的に圧接しながら回動腕を、ほぼ水平姿勢からほぼ垂直姿勢に回動可能とし、スライドレールの最短収縮状態で、圧接子を引き込み案内路下向き方向の端部に圧接し、引き込み案内路を、圧接子が圧接し移動側レールを引き込む方向に突出し順次円弧状に変形形成する。
【実施例】
【００２１】
第１実施例のスライドレールの基本的構成を図１、図６に基づいて説明する。
スライドレール１００は、家具等の本体の内面に連結ネジ等で連結される固定側レール１と、固定側レール１に対し、固定側ボール保持板３に回転自在に保持された複数個のボール３０・・・を介して摺動自在に設けられた中間レール４と、中間レール４に対し、移動側ボール保持板５に回転自在に保持された複数個のボール５０・・・を介して摺動自在に設けられた移動側レール２と、移動側レール２の後端部に取り付けられた引き込み部材６と、引込み部材６に対応して、固定側レール１に設けられた引き込み案内路７より構成されている。
以下、図１において左側斜め上方向を引き出し側（先端側）、右側斜め下方向を収納側（後端側）として説明する。
【００２２】
固定側レール１は、金属製の細長条板の短手両端部を内向き円弧状に折り曲げて形成された内面長手方向（摺動方向）にボール案内溝を有する上下折曲縁１１、１１と、基板１２より断面略Ｃ字形をなし、引き出し側前端部に、基板１２の一部が移動側レール２方向に突出し、固定側ボール保持板３、中間レール４、移動側ボール保持板５等を介して、移動側レール２を最大引き出した状態で停止させ、スライドレール１００を最大伸長となすレール伸長時ストッパー（図示せず。）と、収納側後端部に、基板１２を移動側レール２方向に突出し、中間レール４等を介して、移動側レール２が最も収納された状態で停止させ、スライドレール１００を最短縮小状態となすレール短縮時ストッパー１３０が形成されている。
【００２３】
移動側レール２は、固定側レール１とほぼ同等の長さで、金属製の細長条板の短手両端部を内向き円弧状に折り曲げて形成された内面長手方向（摺動方向）にボール案内溝を有する上下折曲縁２１、２１と、基板２２より固定側レール１に対向する断面略Ｃ字形に形成されている。
そして、基板２２の引き出し側端部には、前記固定側レール１方向に突出し、移動側レール２の収納時に中間レール４の引き出し側端部に当接する移動側レール収納時ストッパー（図示せず。）が形成され、基板２２の収納側端部には、スライドレール１００の最大伸長状態で移動側ボール保持板５の後端に当接する移動側レール後端ストッパー（図示せず。）が形成されている。
【００２４】
中間レール４は、帯状金属板にて上記固定側レール１と移動側レール２間に挿入可能な大きさに形成されている。
すなわち、金属製の細長条板の短手両端部を外向き円弧状に折り曲げて、外面長手方向（摺動方向）にボール案内溝を有する固定側上下折曲縁４２、４２と固定側基板４１からなる断面略Ｃ字形に形成された固定側中間レールと、固定側中間レールと左右対称形で、金属製の細長条板の短手両端部を外向き円弧状に折り曲げて、外面長手方向（摺動方向）にボール案内溝を有する移動側上下折曲縁４３、４３と移動側基板４０からなる断面略Ｃ字形に形成された移動側中間レールよりなり、固定側基板４１、移動側基板４０を摺動方向にややずらして固着された、断面略Ｉ字形で、固定側レール１及び移動側レール２より短い長さに形成されている。
【００２５】
そして、中間レール４の固定側基板４１の後端部に固定側レール１側に突出し、移動側レール２の引き出し時、固定側ボール保持板３の後端部に当接すると共に、移動側レール２の収納時、固定側レール１のレール短縮時ストッパー１３０の内面に当接する中間レール後端ストッパー（図示せず。）が形成され、移動側基板４０の前端部に移動側レール２側に突出し、移動側レール２の引き出し時、移動側ボール保持板５の前端部が内面に当接すると共に、移動側レール２の収納時、前記移動側レール収納時ストッパーの内面が当接する中間レール前端ストッパー（図示せず。）が形成されている。
【００２６】
固定側ボール保持板３は帯条金属板にて中間レール４より所定寸法短くした、固定側レール１と中間レール４間に挿入可能な大きさの基板３１と、固定側レール１と中間レール４の各上下折曲縁１１、１１、４２、４２間に位置する上下突出縁３２、３２より断面略コ字形に形成され、上下突出縁３２、３２の長手方向（摺動方向）数個所でボール３０・・・を回転自在に保持している。
【００２７】
移動側ボール保持板５は帯条金属板にて中間レール４より所定寸法短くした、移動側レール２と中間レール４間に挿入可能な大きさの基板５１と、移動側レール２と中間レール４の各上下折曲縁２１、２１、４３、４３間に位置する上下突出縁５２、５２より断面略コ字形に形成され、突出縁５２、５２の長手方向（摺動方向）数個所でボール５０・・・を回転自在に保持している。
【００２８】
スライドレール１００は上記の如く構成され、移動側レール２が固定側レール１に最も収納された状態（最短縮小状態）では、中間レール後端ストッパーが、固定側レール１のレール短縮時ストッパーの前面に当接し、移動側レール２の移動側レール収納時ストッパーが中間レール前端ストッパーの前面に当接し、引き込み部材６が引き込み案内部７の収納側端部に位置している。
【００２９】
この状態から、移動側レール２を前方に引き出していくと、移動側レール２の移動距離の２分の１の距離だけ移動側ボール保持板５は移動し、中間レール４の移動距離の２分の１の距離だけ固定側ボール保持板３は移動するので、移動側レール後端ストッパーの前面が移動側ボール保持板５の後端に当接し、移動側ボール保持板５の前端が中間レール４の中間レール前端ストッパーの後面に当接して、中間レール４の中間レール後端ストッパーの前面が固定側ボール保持板３の後端に当接し、固定側ボール保持板３の前端が、固定側レール１のレール伸長時ストッパーの後面に当接して、移動側レール２、中間レール４は停止し、スライドレール１００は最大伸長状態となる。
【００３０】
引込み案内路７は、固定側レール１の上折曲縁１１の後端側所定位置から、移動側レール２を引き込む方向に固定側レール１の基板１２から後方に突出する上折曲縁１１を順次円弧状に変形させた形状で、固定側レール１の上折曲縁１１と断面同形で、上折曲縁１１に連続して上折曲縁１１と一体に形成されている。
【００３１】
すなわち、固定側レール１の上折曲縁１１を残して、基板１２と下折曲縁１１の後端部を、前後方向に所定寸法切り落して加工用切り落とし部７１が形成された後、残った固定側レール１の上折曲縁１１を４分の１円弧状に変形されて、固定側レール１の上折曲縁１１の外形と同形で、上折曲縁１１の後端に連続して上折曲縁１１と一体に形成されたものである。
【００３２】
尚、実施例では、引き込み案内路７は、固定側レール１の高さ寸の法（基板１２の高さを半径とした４分の１円弧状に形成されているが、半径（曲率半径）を大きくとれば、弧長は長くなるので、引き込みストロークも長くなる反面、後記する引き込み部材６のバネ６３の付勢力が一定であれば引込みスピードは緩やかとなる。（引き込み力は弱くなる。）
一方、半径（曲率半径）が小さい円弧状とすれば、弧長は短くなるので、引き込みストロークも短くなる反面、後記する引き込み部材６のバネ６３の付勢力が一定であれば引込みスピードは速くなる。（引き込み力は強くなる。）
【００３３】
引き込み部材６は、移動側レール２の基板２２の内面に取り付けられ、端部が移動側レール２の上方向の外側に突出する、横向き略Ｌ字型の連結用支持部材６１と、一端が連結用支持部材６１の突出側の上端部に回動自在に枢止され、他端に圧接子８が回動自在に設けられた回動腕６２と、回動腕６２に回動力を付与するバネ６３より構成されている。
【００３４】
連結用支持部材６１は、移動側レール２の基板２２の後端部内面に連結され後端部が基板２２の収納側端部後方に突出する連結用突片６１１と、連結用突片６１１の後端から上方に向かって突出し、上端部が移動側レール２の外側に位置する回動腕支持突片６１２より形成され、回動腕支持突片６１２の上端部には連結用枢軸６１０の取り付け孔６１３と、バネ６３の一端を係止するバネ係止突起６１４が設けられている。
【００３５】
回動腕６２は、一端が前記回動腕支持突片６１２の取り付け孔６１３に連結用枢軸６１０、連結用枢軸６１０に外嵌し、バネ６３に内嵌する内筒６００、及び、バネ６３を介して、回動自在に一端が連結され、他端に圧接子８が回転自在に設けられた、移動側レール２の上下折曲縁２１、２１間よりやや長い長さに形成され、回動腕６２の上端部には、バネ係止突起６１４に対応して、バネ６３の他端を係止するバネ端部係止突起６２１が形成されている。
【００３６】
バネ６３は実施例では巻きバネが採用されており、バネ係止突起６１４に一端が係止され、他端がバネ端部係止突起６２１に係止され、それぞれの端部が接近する方向に付勢されている。すなわち、回動腕６２は、図４では後端部が下方に回動する方向（図３では、時計まわりの方向）に付勢された状態となっている。
【００３７】
圧接子８は、実施例では、固定側レール１の上折曲縁１１（引込み案内路７）の外形に一致する外形を有する回転ローラーで形成され、回動取付軸８１、連結孔６２０にて、回動腕６２に回転自在に連結されている。
すなわち、ばね６３の付勢力が一定であれば、枢軸６１０（回動中心点）から圧接子８（回転ローラーの中心）までの長さが長い程、圧接子８が引込み案内路７に圧接する力が弱くなり、引込みスピードは緩やかとなる。
【００３８】
本発明は上記の如く構成され、スライドレール１００の最短収縮状態（図１、図３、図７、図８に示す状態）では、圧接子８は、ばね６３によって引込み案内路７の下端部に弾性的に圧接し、常に移動側レール２を収納側方向に移動するよう付勢しているので、移動側レール２は不用意に引き出し側に引き出されることがなく、スライドレール１００の最短収縮状態を確実に維持することが出来る。
【００３９】
そして、この状態から、移動側レール２が引き出されると、ばね６３の付勢力に抗して回動腕６２は、図３で反時計廻りに回動しながら、移動側レール１と共に前方に移動し、圧接子８は案内路７から固定側レール１の上折曲縁１１の外面後端部に位置する。この時、圧接子８の圧接方向が引込み案内路７の形状変化によって、初期抵抗よりは小さな抵抗で移動側レール２は前方に移動し、次に、圧接子８は固定側レール１の上折曲縁１１に位置し、ばね６３の付勢力による抵抗はほとんどなくなった状態で移動側レール１は最大伸長状態まで引き出される。
【００４０】
すなわち、移動側部材の引き出し始めは、使用者が強めの感覚で引き出す傾向があるのを利用し、引込み案内路７を円弧状とすることで、円滑な摺動感覚を得ることが出来るだけでなく、案内路７、固定側レール１の上折曲縁１１が同形で連続して一体に形成されているので、微妙な段差もなく、圧接子８が、引込み案内路７から上折曲縁１１にそれぞれ移動する段階（逆の段階でも同じ。）においても何ら違和感を生じることがない。
又、スライドレール１００の最短収縮状態で、圧接子８は円弧状の下向き方向の端部に圧接しているので、スライドレール１００の最短収縮状態を確実に維持する事が出来る。
【００４１】
そして、スライドレール１００の最大伸長状態から、移動側レール２を押し込んでいくと（移動側レール２と連結された移動側部材を収納していくと）、圧接子８は、固定側レール１の上折曲縁１１の後端から引込み案内路７に位置し、ばね６３の付勢力によって、移動側レール２は自動的に引込まれていく。
そして、ばねの両端部が順次接近することでばね６３の付勢力が弱まるが、引込み案内路７の収納側端部は下向きに突出する形状となっているので、圧接子８の圧接方向がスライドレール１００の摺動方向となり、ばね６３の付勢力の弱まりを補い、確実に最短縮小状態を維持する。
【００４２】
さらに、回動腕６２を、ほぼ水平姿勢からほぼ垂直姿勢の範囲で回動可能に配設しているので、圧接子８は、上下方向からスライド方向に順次移動できるから、引き込み案内路７がスライド方向に短くても、引き込みストロークを長く構成することができるので、スライドレール全体の長さを大きくしなくても、必要なスライドストロークを得ることができる。
【００４３】
次に、第２実施例を図９から図１４に基づいて説明する
符号１００は本発明の第２実施例のスライドレールを示し、スライドレール１００は固定側レール１と、ボール５０・・・を回転自在に保持する移動側ボール保持板５を介して固定側レール１と互いに摺動自在となした移動側レール２と、移動側レール２の後端部に取り付けられた引込み部材６と、引込み部材６に対応して、固定側レール１に設けられた引込み案内路７より構成されている。
以下、図９において左側斜め下方向を引き出し側（先端側）、右側斜め上方向を収納側（後端側）として説明する。
【００４４】
固定側レール１は金属製の細長条板の短手両端部を外向き円弧状に折り曲げて、外面長手方向（摺動方向）にボール案内溝を有する上下折曲縁１１、１１と基板１２からなる断面略Ｃ字形に形成されている。
そして、基板１２の引き出し側前部に一部を移動側レール２方向に突出させて移動側レール２が引き出された状態で、移動側ボール保持板５の後端部が当接するボール保持板後端部ストッパー（図示せず。）が形成されている。
又、引き込み部材６に対応して固定側レール１の上折曲縁１１の後端部を円弧状に折曲げて、上折曲縁１１と一体的に連続する引き込み案内路７が形成されている。
【００４５】
移動側レール２は、固定側レール１とほぼ同等の長さで、金属製の細長条板の短手両端部を内向き円弧状に折り曲げて形成された内面長手方向（摺動方向）にボール案内溝を有する上下折曲縁２１、２１と、基板２２より断面略Ｃ字形に形成されている。
そして、基板２２の引き出し側端部には、前記固定側レール１方向に突出し、移動側レール２の収納時に固定側レール１の前端に当接する移動側レール収納時ストッパーが形成され、基板２２の収納側端部には、スライドレール１００の最大伸長状態で移動側ボール保持板５の一部に当接する移動側レール後端ストッパー（図示せず。）が形成されている。
【００４６】
移動側ボール保持板５は、帯条金属板にて固定側レール１、移動側レール２間に挿入可能な大きさで、かつ、固定側レール１の略３分の１程度の長さで、基板５１と、固定側レール１と移動側レール２の上下の折曲縁１１、１１、２１、２１間に突出する基板５１の上下端部に連設された上下の折曲片５２、５２からなり、上下の両折曲片５２、５２の摺動方向の数箇所に複数個のボール５０・・・を回転自在に保持している。
【００４７】
引込み案内路７は、固定側レール１の上折曲縁１１の後端側所定位置から、移動側レール２を引き込む方向に固定側レール１の基板１２から後方に突出する上折曲縁１１を順次円弧状に変形させた形状で、固定側レール１の上折曲縁１１と断面同形で、上折曲縁１１に連続して上折曲縁１１と一体に形成されている。
【００４８】
すなわち、固定側レール１の上折曲縁１１を残して、基板１２と下折曲縁１１の後端部を、前後方向に所定寸法切り落して加工用切り落とし部７１が形成された後、残った固定側レール１の上折曲縁１１を円弧状に変形させて、固定側レールの上折曲縁１１の外形と同形で、上折曲縁１１の後端に連続して上折曲縁１１と一体に形成されたものである。
【００４９】
引き込み部材６は、移動側レール２の基板２１の外面に取り付けられ、収納側端部が移動側レール２の上方の外側に突出する連結用支持部材６１と、一端が連結用支持部材６１の突出側の端部に回動自在に枢止され、他端に圧接子８が回動自在に設けられた回動腕６２と、回動腕６２に回動力を付与するバネ６３より構成されている。
【００５０】
連結用支持部材６１は、移動側レール２の基板２２の収納側端部外面に連結される連結用基板６１１と、連結用基板６１１の収納側端部上端から収納側に向かって突出し、収納側端部が移動側レール２の外側に位置する回動腕支持突部６１２より形成され、回動腕支持突部６１２には枢軸６１０の取り付け孔が形成され、連結用基板６１１の引き出し側には、バネ６３の一端を保持するバネ保持突起６１４が設けられている。
【００５１】
回動腕６２は、一端が前記回動腕支持突部６１２の付け孔に枢軸６１０を介して、回動自在に一端が連結され、他端に圧接子８が回転自在に設けられた、移動側レール２の上下折曲縁２１、２１間よりやや長い長さに形成され、回動腕６２のやや下端部には、バネ保持突起６１４に対応して、バネ６３の他端を保持するバネ端部保持突起６２１が形成されている。
【００５２】
バネ６３は第２実施例では引っ張りバネが採用されており、バネ保持突起６１４に一端が保持され、他端がバネ端部保持突起６２１に保持され、それぞれの端部が接近する方向に付勢されている。すなわち、回動腕６２は、図１４では収納側端部が下方に回動する方向（図１１では、半時計まわりの方向）に付勢された状態となっている。
【００５３】
圧接子８は、実施例では、固定側レール１の上折曲縁１１（引込み案内路７）の外形に一致する外形を有する回転ローラーで形成され、回動取付軸８１、連結孔にて、回動腕６２に回転自在に連結されている。
【００５４】
第２実施例は上記のごとく構成され、スライドレール１００の最短収縮状態（図９、図１０、図１１、図１２）では、圧接子８は、ばね６３によって引込み案内路７の下端部に弾性的に圧接し、常に移動側レール２を収納側方向に移動するよう付勢しているので、移動側レール２は不用意に前方に引き出されることがなく、スライドレール１００の最短収縮状態を確実に維持することが出来る。
【００５５】
そして、この状態から、移動側レール２が引き出されると、ばね６３の付勢力に抗して回動腕６２は、図１０で反時計廻りに回動しながら、移動側レール１と共に前方に移動し、圧接子８は案内路７から固定側レール１の上折曲縁１１の外面後端部に位置する。（図１４に示す状態。）この時、圧接子８の圧接方向が引込み案内路７の形状変化によって、初期抵抗よりは小さな抵抗で移動側レール２は前方に移動し、次に、圧接子８は固定側レール１の上折曲縁１１に位置し、ばね６３の付勢力による抵抗はほとんどなくなった状態で移動側レール１は最大伸長状態まで引き出される。
【００５６】
すなわち、移動側部材の引き出し始めは、使用者が強めの感覚で引き出す傾向があるのを利用し、引込み案内路７を円弧状とすることで、円滑な摺動感覚を得ることが出来るだけでなく、案内路７、固定側レール１の上折曲縁１１が同形で連続して一体に形成されているので、微妙な段差もなく、圧接子８が、引込み案内路７から上折曲縁１１にそれぞれ移動する段階（逆の段階でも同じ。）においても何ら違和感を生じることがない。
又、スライドレール１００の最短収縮状態で、圧接子８は円弧状の下向き方向の端部に圧接しているので、スライドレール１００の最短収縮状態を確実に維持する事が出来る。
【００５７】
そして、スライドレール１００の最大伸長状態から、移動側レール２を押し込んでいくと（移動側レール２と連結された移動側部材を収納していくと）、圧接子８は、固定側レール１の上折曲縁１１の後端から引込み案内路７に位置し、ばね６３の付勢力によって、移動側レール２は自動的に引込まれていく。
そして、ばねの両端部が順次接近することでばね６３の付勢力が弱まるが、引込み案内路７の収納側端部は下向きに突出した形状であるから、圧接子８の圧接方向がスライドレール１００の摺動方向となり、ばね６３の付勢力の弱まりを補い、確実に最短縮小状態を維持する。
【００５８】
さらに、回動腕６２を、ほぼ水平姿勢からほぼ垂直姿勢の範囲で回動可能に配設しているので、圧接子８は、上下方向からスライド方向に順次移動できるから、引き込み案内路７がスライド方向に短くても、引き込みストロークを長く構成することができるので、スライドレール全体の長さを大きくしなくても、必要なスライドストロークを得ることができる。
【産業上の利用可能性】
【００５９】
以上詳述したように、本発明は、家具等の本体と引出し間、あるいは陳列棚本体と棚板間、さらには、複写機本体と給紙トレー間に取り付けて使用することができ、広範囲で利用可能である。
【符号の説明】
【００６０】
１              固定側レール
１１、１１      上下折曲縁
１００          スライドレール
２              移動側レール
２１、２１      上下折曲縁
６              引込み部材
６１            連結用支持部材  
６２            回動腕
６３            ばね（巻きばね）
７              引込み案内路
８              圧接子（回転ローラー）
【図１】
2020075111.tif 000003
【図２】
2020075111.tif 000004
【図３】
2020075111.tif 000005
【図４】
2020075111.tif 000006
【図５】
2020075111.tif 000007
【図６】
2020075111.tif 000008
【図７】
2020075111.tif 000009
【図８】
2020075111.tif 000010
【図９】
2020075111.tif 000011
【図１０】
2020075111.tif 000012
【図１１】
2020075111.tif 000013
【図１２】
2020075111.tif 000014
【図１３】
2020075111.tif 000015
【図１４】
2020075111.tif 000016